(57)【要約】【課題】設備コストの削減を図りながら消費用水量の低減を図ることができ、しかも、水田に供給する用水の温度差も解消することが可能な用水の供給システムを提供する。【解決手段】水路１２を流れる用水を圃場（水田１５）に供給するための用水の供給システムであって、前記水路１２に取水工２１を介して接続する浅水深の貯留池２２と、該貯留池２２からあらかじめ設定した範囲の圃場に用水を供給する給水路２３と、前記貯留池及び前記圃場における余剰水を排出する排水路２４と、該排水路に排出された余剰水を下流側の貯留池に再供給する用水回収路２５とを設ける。【選択図】　　図１
2004137737.tif 000002
【特許請求の範囲】
【請求項１】
水路を流れる用水を圃場に供給するための用水の供給システムであって、前記水路に取水工を介して接続する浅水深の貯留池と、該貯留池からあらかじめ設定した範囲の圃場に用水を供給する給水路と、前記貯留池及び前記圃場における余剰水を排出する排水路と、該排水路に排出された余剰水を下流側の貯留池に再供給する用水回収路とを備えていることを特徴とする用水の供給システム。
【請求項２】
前記水路から貯留池への給水は、該貯留池の水位変動によって給水量を制御するフロート弁を介して行われることを特徴とする請求項１記載の用水の供給システム。
【請求項３】
前記貯留池は、洪水時の余剰水を前記排水路に排出するオーバーフロー排水部を有していることを特徴とする請求項１記載の用水の供給システム。
【請求項４】
前記貯留池は、その周囲の法面の角度が水平面に対して１０〜３０度の範囲に形成されていることを特徴とする請求項１記載の用水の供給システム。
【請求項５】
前記貯留池は、その周囲に貯留池から圃場への漏水を防止するための止水シートが設けられていることを特徴とする請求項１記載の用水の供給システム。
【請求項６】
前記貯留池は、地下に暗渠排水管が敷設されていることを特徴とする請求項１記載の用水の供給システム。
【請求項７】
前記貯留池は、一部に深水部を有していることを特徴とする請求項１記載の用水の供給システム。
【発明の詳細な説明】
【０００１】
【発明の属する技術分野】
本発明は、用水の供給システムに関し、詳しくは、地区全体の消費用水量の低減を図れ、温水化機能等も備えた用水の供給システムに関する。
【０００２】
【従来の技術】
図３は、従来の水田への用水供給システムを示す概略系統図であって、河川１１から水路１２を経て幹線給水路１３に導かれた用水は、各給水路１４に分取されてそれぞれの水田１５に供給されるようになっている。また、水田１５の余剰水は、排水路１６に排出された後、幹線排水路１７を経て河川等に還流される。さらに、幹線給水路１３における余剰水も、幹線排水路１７を経て河川等に還流されるようになっている（例えば、特許文献１参照。）。なお、必要に応じて水路１２と幹線給水路１３との間に溜池が設けられることがあり、各水路の分岐点には、取水工や配水槽が設けられ、要所には除塵機が設けられている。
【０００３】
【特許文献１】
特開平１１−２３９４２３号公報（段落番号０００２−０００３、第６図）
【０００４】
【発明が解決しようとする課題】
しかし従来のシステムでは、余剰水をそのまま河川等に排出しているため、水路１２に取り込む用水量が多大なものとなっており、給排水システムにおける各設備も、この用水量に応じた機能、能力を有するものを選定する必要があるため、設備コストが嵩むという問題があった。また、水田１５に貯留されている状態の用水は、太陽熱によって暖められており、河川１１から各水路を経て給水路１４に供給される用水は、河川水の温度で、前記貯留水に比べて数℃以上も温度が低いのが普通であるから、大量の用水を水田１５に補給すると、低温水による温度差から稲の生育に悪影響を与えることがある。
【０００５】
そこで本発明は、設備コストの削減を図りながら消費用水量の低減を図ることができ、しかも、水田に供給する用水の温度差も解消することが可能な用水の供給システムを提供することを目的としている。
【０００６】
【課題を解決するための手段】
上記目的を達成するため、本発明の用水の供給システムは、水路を流れる用水を圃場に供給するための用水の供給システムであって、前記水路に取水工を介して接続する浅水深の貯留池と、該貯留池からあらかじめ設定した範囲の圃場に用水を供給する給水路と、前記貯留池及び前記圃場における余剰水を排出する排水路と、該排水路に排出された余剰水を下流側の貯留池に再供給する用水回収路とを備えていることを特徴としている。
【０００７】
さらに、本発明の供給システムは、前記水路から貯留池への給水を該貯留池の水位変動によって給水量を制御するフロート弁を介して行うこと、また、前記貯留池は、洪水時の余剰水を前記排水路に排出するオーバーフロー排水部を有していること、貯留池の周囲の法面の角度が水平面に対して１０〜３０度の範囲に形成されていること、貯留池の周囲に貯留池から圃場への漏水を防止するための止水シートを設けたこと、貯留池の地下に暗渠排水管を敷設したこと、貯留池の一部に深水部を形成したことを特徴としている。
【０００８】
【発明の実施の形態】
図１は本発明の一形態例を示す用水の供給システムの概略系統図、図２は貯留池の一例を示す断面図である。まず、図１に示すように、本発明の用水の供給システムは、水路１２に取水工２１を介して接続する浅水深の貯留池２２と、該貯留池２２からあらかじめ設定した範囲の圃場（水田１５）に用水を供給する給水パイプ（給水路）２３と、前記貯留池２２及び水田１５における余剰水を排出する排水パイプ（排水路）２４と、該排水パイプ２４に排出された余剰水を、該排水パイプ２４から、あるいは、幹線排水路１７や支線排水路から下流側の貯留池２２に再供給する用水回収パイプ（用水回収路）２５とを備えており、各水田１５には、各水田に対応して前段に設けられている貯留池２２に一時貯留された用水を供給するようにしている。
【０００９】
すなわち、河川１１から開放型の水路１２に分岐した用水は、取水工２１から主給水パイプ２６に取水されて貯留池２２に導かれ、この貯留池２２に一旦貯留された状態になる。貯留池２２は、図２に示すように、温水効果を得るために水深を最大でも３０ｃｍ程度とした浅水深の池であって、例えば、水田における一筆分をこの貯留池２２に利用することができる。この貯留池２２の面積は、水田１５が必要とする用水量によって異なるが、通常は、３０〜５０ｈａの水田に対して１〜２ｈａの貯留池を設置するようにすればよい。
【００１０】
また、３０ｃｍ程度の水深であれば、貯留池周囲の畦畔２７も簡単な構造でよく、護岸や転落防止等の工事を省略して工事費用を安価に抑えることができる。この畦畔２７からの漏水を防止するためには、畦畔２７に遮水シート２８を施工すればよい。さらに、畦畔２７の角度を１０〜３０度の範囲の低角度、例えば１５度程度に設定しておくことにより、波の浸食作用を回避して護岸工事や補修工事を省略することが可能となる。
【００１１】
このような比較的広い面積で浅水深の貯留池２２は、砂、泥等の濁質を沈殿分離させる効果を期待でき、落ち葉や草等を分離する効果も期待できるので、他の水田等からの排水を用水回収パイプ２５から流入させるようにしても、該貯留池２２から水田１５に供給する用水にこれらが混入することがほとんどなくなる。また、貯留池２２の面積を広くすることにより、降雨等による水位上昇を少なくすることができるので、該貯留池２２から給水パイプ２３に流入する用水の圧力変化を抑えることができる。
【００１２】
さらに、貯留池２２の地下に暗渠排水パイプ３１を埋設しておき、水閘３２を開くことによって貯留池２２から排水できるように形成しておくことにより、灌漑終了後の乾田化を図ることができる。また、排水することによって貯留池２２内にトラクター等を乗り入れることが可能となるので、草刈り（除草）や耕運を容易に行うことができ、貯留池２２の維持管理を機械化することができる。なお、貯留池２２からの排水は、前記暗渠排水パイプ３１を用いるだけに限るものではなく、一般的な排水経路、排水手段で行うこともできる。
【００１３】
加えて、貯留池２２の一部、特に中心部に深水部３３を設けておくことにより、貯留池２２内から排水したときでも、魚類等の生息、繁殖場所を確保することができる。この深水部３３は、魚類等が鳥類等の外敵から逃れることができるように、排水後でも５０ｃｍ以上の水深を確保できるようにしておくことが好ましい。また、深水部３３の面積は、貯留池２２の面積、魚類の種類や生息数等によって異なるが、一般的には１〜２ｈａの貯留池２２に対して１００〜１５０ｍ２程度あればよく、正方形であっても良いが、例えば、幅３ｍ、長さ３０ｍ程度の細長い形状にしておくことにより、排水時における深水部３３の様子を周辺から容易に確認できるので好ましい。
【００１４】
前記水路１２から貯留池２２への給水は、前記取水工２１にスクリーンやフィルター等のゴミ除去手段３４を介して行うことが好ましい。これにより、空き缶や空き瓶、ポリ袋等が貯留池２２内に流入することを防止できる。また、取水工２１から主給水パイプ２６に取水した用水は、水路１２と貯留池２２とにおける水位差に応じて適当な方法で貯留池２２へ給水することができるが、通常は、フロート弁、ボールタップ等を使用した給水量制御器３５を設けておき、貯留池２２における水位を一定に保つようにして給水することが好ましい。
【００１５】
これにより、必要最小限の用水を貯留池２２に給水できるとともに、過剰の用水を供給して貯留池２２から用水が溢れ出ることを防止できる。なお、用水回収パイプ２５からの給水も同様に給水量制御器３５を使用して行うことができるが、用水回収パイプ２５からの給水を優先して行うように各給水量制御器３５を設定しておくことにより、水田１５等から排出された余剰水を、より有効に利用することができる。
【００１６】
さらに、降雨時等に貯留池２２の水位が上昇したときに備えて、オーバーフロー排水部３６を設けておくことにより、洪水が発生するような状況でも、貯留池２２から用水が溢れ出ることを防止でき、貯留池内に生息している魚類等を保護することができる。加えて、近隣の排水路や小河川と同水位になる位置に貯留池２２を設置して水路を設けておくことにより、これらの排水路や小河川と貯留池２２との間での魚類等の往来を可能とし、魚類等の生息、繁殖をより促進することができる。
【００１７】
また、貯留池２２から水田１５への給水は、通常の給水操作と同様に、水田側に設けた水位設定器３７を介して行われる。このときの貯留池２２からの取水は、通常の取水工を介して行うようにしてもよく、フロート式取水器３８を使用して表面の暖かい水を取水するようにしてもよい。なお、水位設定器３７には、従来から用いられている各種構造のものを使用することができ、地下灌漑兼用のものを使用することもできる。また、水位設定器３７のような給水栓と排水弁とを同一位置のボックス内に収納して用・排水管理を道路（農道）側からの片側操作にすることにより、水田１５における用水管理を簡単かつ確実に行えるとともに、無効放流を防止することができる。
【００１８】
さらに、貯留池２２を浅水深にして太陽熱等による温水化を十分に行えるように形成し、貯留池内の用水温度を水田内の用水と略同じ温度にすることができるので、低温の用水が水田１５内に流入することが無くなり、稲の生育に悪影響を及ぼすことがなくなる。加えて、浅水深によって動植物の生息や繁殖を促進することもできるので、いわゆるビオトープ機能も持たせることができ、自然環境の保護も図れるとともに、藻の発生による炭酸同化作用も期待できる。
【００１９】
また、上流側の水田で一度使用した排水を再利用したり、山林原野の水も有効活用する反復水利用を基本とするため、地区全体における消費水量の大幅な節水を図ることができるので、水不足の問題も解消でき、河川の上流に設けられる用水確保用のダムの新設や既存のダムの嵩上げ工事等も不要とすることも可能となる。さらに、代掻きを行っている水田１５から排出された水を下流側の貯留池２２に流入させることにより、河川等への濁水の流入を無くすことが可能であり、河川等の環境保全にも役立つことになる。
【００２０】
【発明の効果】
以上説明したように、本発明の用水の供給システムによれば、浅水深の貯留池を設けて排水を再利用するようにしたので、地区全体の消費水量を大幅に削減することができる。また、浅水深の貯留池による温水化効果によって冷水が水田に流入することもなくなる。さらに、浅水深としたことによって動植物の生息や繁殖を促進することもでき、自然環境の保護も図れる。
【図面の簡単な説明】
【図１】本発明の一形態例を示す用水の供給システムの概略系統図である。
【図２】貯留池の一例を示す断面図である。
【図３】従来の水田への用水供給システムを示す概略系統図である。
【符号の説明】
１１…河川、１２…水路、１５…水田、１７…幹線排水路、２１…取水工、２２…貯留池、２３…給水パイプ、２４…排水パイプ、２５…用水回収パイプ、２６…主給水パイプ、２７…畦畔、２８…遮水シート、３１…暗渠排水パイプ、３２…水閘、３３…深水部、３４…ゴミ除去手段、３５…給水量制御器、３６…オーバーフロー排水部、３７…水位設定器、３８…フロート式取水器
【図１】
2004137737.tif 000003
【図２】
2004137737.tif 000004
【図３】
2004137737.tif 000005